(57)【要約】【課題】  カレンダ等の上端側に設けられて該カレンダ等を吊り下げるための樹脂製の吊り具を、カレンダ等の上端側に取り付ける作業を機械化できるように考慮する。【解決手段】  前構成体６又は後構成体７の一方の対向面側に被吊下げ物２の被保持部分３を配置した状態で、前構成体６又は後構成体７の他方を一方に近接させることにより前構成体６と後構成体７との間で被吊下げ物２の被保持部分３を保持できるように、前構成体６と後構成体７とが近接離反自在とされ、前構成体６又は後構成体７の一方に設けた係合体１４に他方に設けた被係合体１５を係脱自在に係合させることにより前構成体６と後構成体７とが連結され且つ前構成体６と後構成体７との間で被吊下げ物２の被保持部分３が挟持されて保持されるように構成する。【選択図】図３
2006289941.tif 000002
【特許請求の範囲】
【請求項１】
カレンダやポスタ等の被吊下げ物（２）の上端側に設けられて該被吊下げ物（２）を吊り下げるための吊り具であって、
前後対向状に配置された前構成体（６）と後構成体（７）との間で被吊下げ物（２）の上端側の被保持部分（３）を保持するようにした樹脂製の吊り具において、
前構成体（６）又は後構成体（７）の一方の対向面側に被吊下げ物（２）の被保持部分（３）を配置した状態で、前構成体（６）又は後構成体（７）の他方を一方に近接させることにより前構成体（６）と後構成体（７）との間で被吊下げ物（２）の被保持部分（３）を保持できるように、前構成体（６）と後構成体（７）とが近接離反自在とされ、前構成体（６）又は後構成体（７）の一方に設けた係合体（１４）に他方に設けた被係合体（１５）を係脱自在に係合させることにより前構成体（６）と後構成体（７）とが連結され且つ前構成体（６）と後構成体（７）との間で被吊下げ物（２）の被保持部分（３）が挟持されて保持されるように構成されていることを特徴とする吊り具。
【請求項２】
カレンダやポスタ等の被吊下げ物（２）の上端側に設けられて該被吊下げ物（２）を吊り下げるための吊り具であって、
前後対向状に配置された前構成体（６）と後構成体（７）との間で被吊下げ物（２）の上端側の被保持部分（３）を保持するようにした樹脂製の吊り具において、
前構成体（６）又は後構成体（７）の一方の対向面側に被吊下げ物（２）の被保持部分（３）を配置した状態で、前構成体（６）又は後構成体（７）の他方を一方に近接させることにより前構成体（６）と後構成体（７）との間で被吊下げ物（２）の被保持部分（３）を保持できるように、前構成体（６）と後構成体（７）とが近接離反自在とされ、前構成体（６）又は後構成体（７）の一方の対向面に突部（３４）を設け、この突部（３４）を被吊下げ物（２）の被保持部分（３）に形成された孔（３５）に挿通状とした状態で、前構成体（６）又は後構成体（７）の一方に設けた係合体（１４）に他方に設けた被係合体（１５）を係合させることにより前構成体（６）と後構成体（７）とが連結され且つ前構成体（６）と後構成体（７）との間で前記突部（３４）によって被吊下げ物（２）が保持されるように構成されていることを特徴とする吊り具。
【請求項３】
吊り具の下部側が被吊下げ物（２）の被保持部分（３）を保持する保持部（８）とされ、前構成体（６）の上部側が透明に形成された表示部（２０）とされ、この表示部（２０）の背面側に店名、社名等の表示内容を表示させるようにしたことを特徴とする請求項１又は２に記載の吊り具。
【請求項４】
前構成体（６）の背面側に係合体（１４Ａ，１４Ｂ）が上下一対設けられ、後構成体（７）の正面側に被係合体（１５Ａ，１５Ｂ）が上下一対設けられ、上下の係合体（１４Ａ，１４Ｂ）の間が表示部（２０）とされていて店名、社名等の表示内容が表示されたシート状表示体（２１）が上下の係合体（１４Ａ，１４Ｂ）間に収容可能とされると共に、前後の構成体（６，７）を連結した状態において上下の被係合体（１５Ａ，１５Ｂ）によって前記シート状表示体（２１）が前構成体（６）の表示部（２０）の背面に押し付けられるように構成されていることを特徴とする請求項３に記載の吊り具。
【請求項５】
前後の構成体（６，７）を連結した状態において、店名、社名等の表示内容が表示されたシート状表示体（２１）を表示部（２０）の背面に取付可能な係止部（３６）を備えていることを特徴とする請求項３に記載の吊り具。
【請求項６】
被吊下げ物（２）の被保持部分（３）の前構成体（６）と後構成体（７）との間からの離脱防止を図るべく該被吊下げ物（２）の被保持部分（３）を前構成体（６）と後構成体（７）との間で屈曲させる押圧部（４１，４２，４３）を備えていることを特徴とする請求項１に記載の吊り具。
【請求項７】
前構成体（６）の上端側と後構成体（７）の上端側とが屈曲可能に連結されていることを特徴とする請求項１〜６のいずれかに記載の吊り具。
【発明の詳細な説明】
【技術分野】
【０００１】
本発明は、カレンダ、ポスタ、シート状の壁掛け等の被吊下げ物を壁面等に吊るための吊り具に関するものである。
【背景技術】
【０００２】
従来、カレンダを壁に吊るための吊り具として樹脂製の吊り具があり、この樹脂製の吊り具として、前後対向状に配置された前後の構成体と、前後の構成体の上端同士を連結する連結壁と、前後の構成体の対向側の下端に設けられた係止縁とを備え、カレンダの上端側の被保持部を、吊り具の前後の構成体間に、長手方向外方側から差し込んでいくことにより、カレンダの被保持部を吊り具に保持させるように構成されているものがある（特許文献１、２参照）。
【特許文献１】特開平８−２６７９７８号公報
【特許文献２】特開平９−３０５１１１号公報
【発明の開示】
【発明が解決しようとする課題】
【０００３】
前記従来の樹脂製の吊り具にあっては、カレンダが吊り具から下方に容易に抜け落ちないように適度な剛性をもっており、前後の構成体は離反する方向に容易に弾性変形し難く、そのため、カレンダの上端側を吊り具の前後の構成体間に差し込む作業が困難であり、また該作業を機械化し難く、現在では手作業によって行っており、作業性がわるいという問題がある。
そこで、本発明は、前記問題点に鑑みて、樹脂製の吊り具をカレンダ等の被吊下げ物に取り付ける作業を機械化することのできる吊り具を提供することを目的とする。
【課題を解決するための手段】
【０００４】
前記技術的課題を解決するために本発明が講じた技術的手段は、カレンダやポスタ等の被吊下げ物の上端側に設けられて該被吊下げ物を吊り下げるための吊り具であって、
前後対向状に配置された前構成体と後構成体との間で被吊下げ物の上端側の被保持部分を保持するようにした樹脂製の吊り具において、
前構成体又は後構成体の一方の対向面側に被吊下げ物の被保持部分を配置した状態で、前構成体又は後構成体の他方を一方に近接させることにより前構成体と後構成体との間で被吊下げ物の被保持部分を保持できるように、前構成体と後構成体とが近接離反自在とされ、前構成体又は後構成体の一方に設けた係合体に他方に設けた被係合体を係脱自在に係合させることにより前構成体と後構成体とが連結され且つ前構成体と後構成体との間で被吊下げ物の被保持部分が挟持されて保持されるように構成されていることを特徴とする。
【０００５】
また、他の技術的手段は、カレンダやポスタ等の被吊下げ物の上端側に設けられて該被吊下げ物を吊り下げるための吊り具であって、
前後対向状に配置された前構成体と後構成体との間で被吊下げ物の上端側の被保持部分を保持するようにした樹脂製の吊り具において、
前構成体又は後構成体の一方の対向面側に被吊下げ物の被保持部分を配置した状態で、前構成体又は後構成体の他方を一方に近接させることにより前構成体と後構成体との間で被吊下げ物の被保持部分を保持できるように、前構成体と後構成体とが近接離反自在とされ、前構成体又は後構成体の一方の対向面に突部を設け、この突部を被吊下げ物の被保持部分に形成された孔に挿通状とした状態で、前構成体又は後構成体の一方に設けた係合体に他方に設けた被係合体を係合させることにより前構成体と後構成体とが連結され且つ前構成体と後構成体との間で前記突部によって被吊下げ物が保持されるように構成されていることを特徴とする。
【０００６】
また、吊り具の下部側が被吊下げ物の被保持部分を保持する保持部とされ、前構成体の上部側が透明に形成された表示部とされ、この表示部の背面側に店名、社名等の表示内容を表示させるようにするのがよい。
また、前構成体の背面側に係合体が上下一対設けられ、後構成体の正面側に被係合体が上下一対設けられ、上下の係合体の間が表示部とされていて店名、社名等の表示内容が表示されたシート状表示体が上下の係合体間に収容可能とされると共に、前後の構成体を連結した状態において上下の被係合体によって前記シート状表示体が前構成体の表示部の背面に押し付けられるように構成されているのがよい。
【０００７】
前後の構成体を連結した状態において、店名、社名等の表示内容が表示されたシート状表示体を表示部の背面に取付可能な係止部を備えていてもよい。
被吊下げ物の被保持部分の前構成体と後構成体との間からの離脱防止を図るべく該被吊下げ物の被保持部分を前構成体と後構成体との間で屈曲させる押圧部を備えていてもよい。
また、前構成体の上端側と後構成体の上端側とが屈曲可能に連結されているのがよい。
【発明の効果】
【０００８】
本発明によれば、前構成体又は後構成体の一方の対向面側にカレンダ等の被吊下げ物の被保持部分を配置した状態で、前構成体又は後構成体の他方を一方に近接させて係合体に被係合体を係合させることにより、前後の構成体が連結される共に前構成体と後構成体との間で被吊下げ物の被保持部分が挟持されて保持され、これによって樹脂製の吊り具が被吊下げ物に取り付けられるように構成されており、この樹脂製の吊り具を被吊下げ物に取り付ける作業を機械化することができる。
【発明を実施するための最良の形態】
【０００９】
以下、本発明の実施の形態を図面を参照して説明する。
図１〜図３において、１はカレンダ（被吊下げ物）２の上端側に設けられて該カレンダ２を壁等に吊り下げるのに使用される樹脂製の吊り具である。
カレンダ２は複数枚のカレンダ用紙２ａを重ね合わせて上端側をホッチキス止め又はその他の綴じ合わせ手段によって綴じられており、上端側が吊り具１に保持される被保持部分３とされている。
前記吊り具１は、カレンダ２の左右幅に相当する長さに形成されていて該カレンダ２を保持する吊具本体４と、壁等に設けられるフック等の被引掛け部に引っ掛けて吊り具１を吊すための引掛け部材５とから主構成され、これらは樹脂によって形成されている。
【００１０】
吊具本体４は、前後対向状に配置された前後の構成体６，７と、前後の構成体６，７を連結する連結手段９とを備えている。
吊具本体４の下部は、カレンダ２の被保持部分３を保持する保持部８とされており、該保持部８は、前構成体６の下部側部分の前挟持片１１と、後構成体７の下部側部分の後挟持片１２とから構成され、前後各挟持片１１，１２の下端側には前後対向方向に一体的に延出する接当部１３が設けられており、この図１〜図３に示す吊り具１にあっては、カレンダ２の被保持部分３が、前後の挟持片１１，１２間に配置され該前後の挟持片１１，１２で挟持されることにより保持部８に保持されるように構成されている。
【００１１】
連結手段９は、前構成体６の背面側に上下方向対向状に設けられた上下一対の係合体１４Ａ，１４Ｂと、後構成体７の正面側に上下方向対向状に設けられた上下一対の被係合体１５Ａ，１５Ｂとから構成されている。
上係合体１４Ａは前構成体６の上端部から後方突出状として該前構成体６に一体形成され、下係合体１４Ｂは後構成体７の上下方向中途部から後方突出状として該後構成体７に一体形成されている。
上被係合体１５Ａは後構成体７の上端部からやや下がった位置に前方突出状として該後構成体７に一体形成されていて、図２（ａ）に示す前後の構成体６，７の連結状態で上係合体１４Ａの下側に位置しており、下被係合体１５Ｂは後構成体７の上下方向中途部から前方突出状として該後構成体７に一体形成されていて、前後の構成体６，７の連結状態で下係合体１４Ｂの上側に位置している。
【００１２】
前記上下の係合体１４Ａ，１４Ｂ及び上下の被係合体１５Ａ，１５Ｂは、吊具本体４の左右方向全長に亘って形成されている。
前構成体６の、下係合体１４Ｂから下方側が前挟持片１１とされ、後構成体７の下被係合体１５から下方側が後挟持片１２とされている。
上下の係合体１４の先端側（後端側）には、上下対向方向内方に膨出する係合部１６が形成され、上下の被係合体１５の先端側（前端側）には、上下対向方向外方に膨出する被係合部１７が形成されており、前後の構成体６，７の連結状態で、上下の被係合部１７が、上下の係合体１４の前方側に位置していて前後の構成体６，７の離反を規制している。
【００１３】
また、上下の被係合体１５Ａ，１５Ｂの正面側には、上下方向に沿って平坦な接当面１８と、係合部１６を被係合部１７の後方側へと案内するガイド面１９とが形成されており、接当面１８は被係合体１５Ａ，１５Ｂの正面側の上下方向内方側に位置し、ガイド面１９は上下の被係合体１５Ａ，１５Ｂの正面側の上下方向外方側に位置していて上下方向外方に行くに従って後方に移行する傾斜面に形成されている。
また、係合部１６と被係合部１７との相互に接当する面は、前方に行くに従って上下方向外方に移行する傾斜面に形成されている。
【００１４】
吊り具１は、前後の構成体６，７、上下の係合体１４Ａ，１４Ｂ及び上下の被係合体１５Ａ，１５Ｂを、引抜成形又は押出成形等によって長尺に一体形成し、この長尺成形物をカレンダ２の左右幅に応じた長さに切断することにより形成されるか、又は、前後の構成体６，７、上下の係合体１４及び上下の被係合体１５を、射出成形等によって、カレンダ２の左右幅に応じた寸法に形成することにより形成される。
また、本実施の形態では、前構成体６は透明な樹脂材料によって形成されていて、前構成体６の上部の上下係合体１４Ａ，１４Ｂの間が表示部２０とされ、該表示部２０の背面側に店名、社名、広告、各種絵図等の表示内容を表示させ得るようになっている。
【００１５】
本実施の形態の表示方法としては、シート状表示体２１に店名、社名、広告、各種絵図等の表示内容を印刷し、印刷面が表示部２０の背面側に面接触するようにシート状表示体２１を上下係合体４Ａ，１４Ｂ間に配置するという方法が採用されている。
前構成体６を透明にして表示部２０の背面側に表示内容を表示させるようにすることで、前構成体６の正面側に表示内容を表示させるようにしたものに比べて、表示内容が擦れること等によって消えることがないという効果を奏する。
また、シート状表示体２１はシールであってもよく、また、店名、社名等の表示内容の表示方法としては、表示部２０の背面に店名、社名、広告、各種絵図等の表示内容を印刷することにより行ってもよいが、特に、紙製のシート状表示体２１に印刷して、それを透明な表示部２０の内側に配置することで店名等を表示させるようにすることによって、コストダウン、生産性の向上等を図ることができるという効果を奏する。
【００１６】
すなわち、従来の吊り具１にあっては、吊り具１の正面側に店名等の表示内容を印刷することにより店名等を表示させるようにしており、樹脂に店名等を印刷するのはコスト高となるが、店名等の印刷を紙製の表示体２１にすることによりコストダウンが図れ、特にカラー印刷をする場合にかなり有利となる。
また、従来のように吊り具１自体に表示内容を印刷するのは、カレンダ２への吊り具１の取付工程ではおこなえず、吊り具１は店名等を印刷した後にカレンダ２へ取り付けなければならず、生産性が悪いという問題があるが、本実施の形態の吊り具１にあっては、店名等の表示内容を印刷したシート状表示体２１を多数枚形成しておき、吊り具１をカレンダ２に取り付ける工程で表示体２１を吊り具１に一緒に設けることができ、生産性の向上が図れる。
【００１７】
なお、このシート状表示体２１を多数枚形成する方法としては、例えば、図７に示すように、紙厚が０．２ｍｍや０．５ｍｍ等といった厚紙等からなる印刷用紙２２に、シート状表示体２１の左右の長さ方向の寸法に相当する切れ目２３を、シート状表示体２１の上下幅に相当する間隔をおいて平行状に多数形成しておき、この印刷用紙２２を厚紙対応のプリンターに挿入して、前記切れ目２３間に店名等の表示内容を印刷し、その後、点線２４で示すシート状表示体２１の長さ方向の両端部に相当する部位を切断してシート状表示体２１を形成するといった方法が採用される。
【００１８】
また、前構成体６の下部側（表示部２０より下方側）は透明である必要はないので、つや消し面にされるか又は梨地仕上げ等されるが、透明であってもかまわない。
前記構成の吊り具１にあっては、前後の構成体６，７は非連結状態では、別体であるので近接離反自在であり、吊り具１をカレンダ２の上端側に取り付ける場合、例えば、図３（ａ）に示すように、後構成体７を正面側が上向きとなるように作業台等の上に載置すると共に、後挟持片１２上にカレンダ２の被保持部分３を載置して配置する。
また、シート状表示体２１を、前構成体６の表示部２０の背面側の上下係合体１４Ａ，１４Ｂ間に、長手方向から又は背面側から挿入しておく。
【００１９】
そして、図３（ｂ）に示すように、前構成体６を、その背面側を下向きとして、後構成体７に上方から重ね合わせて係合部１６の後端側を被係合体１５Ａ，１５Ｂのガイド面１９に接当させ、該状態で後構成体７を押し下げる。
すると、係合部１６がガイド面１９に案内されることにより、一対の係合体１４Ａ，１４Ｂが、それらの間隔が対向方向外方に広がるように弾性変形することにより（及び／又は、一対の被係合体１５Ａ，１５Ｂが、それらの間隔が対向方向内方に狭まるように弾性変形することにより）係合部１６が下方移動し、該係合部１６が被係合部１７を通り過ぎると、弾性変形していた係合体１４Ａ，１４Ｂ（及び／又は被係合体１５Ａ，１５Ｂ）が復元して、係合部１６と被係合部１７が係合して前後の構成体６，７が連結されると共に、前後の挟持片１１，１２の接当部１３間でカレンダ２の被保持部分３が挟圧されてカレンダ２の被保持部分３が吊り具１に挟持されて保持される（カレンダ２の上端側に吊り具１が取り付けられる）。
【００２０】
これによって、吊り具１のカレンダ２への取付作業を機械化することができる。
なお、カレンダ２の上端側を吊り具１に保持した状態では、カレンダ用紙２ａの上端側を綴じ合わせるためのホッチキス針（ステープル）等が接当部１３に引っ掛かることによりカレンダ２が前後の構成体６，７間から下方に容易には抜けないようになっている。
また、前記構成の吊り具１にあっては、カレンダ用紙２ａを吊り具１から取り去った後に、被保持部分３が吊り具１の前後の挟持片１１，１２間に残るが、係合体１４Ａ，１４Ｂと被係合体１５Ａ，１５Ｂとは係脱自在であるので、カレンダ２の使用後は、前後の構成体６，７の一方に対して他方を離反させることにより、前後の挟持片１１，１２間に残ったカレンダ２の被保持部分３を容易に取り除くことができる。
【００２１】
また、この前後の構成体６，７の連結時において、被係合体１５の接当面１８がシート状表示体２１の背面に接当することによって、シート状表示体２１が表示部２０の背面（前構成体６の背面）に密接状に保持できるようになっている。
なお、シート状表示体２１を設けないときには、被係合部１７の接当面１８が前構成体６の背面に接当するように構成する。
吊り具１の左右方向中央部には、上係合体１４Ａと上被係合体１５Ａとにわたって上下方向に貫通する係止孔２６が形成されており、この係止孔２６を介して前記引掛け部材５が取り付けられるように構成されている。
【００２２】
引掛け部材５は、上部に前後方向（厚さ方向）に貫通する掛合孔２７を有すると共に、下部側に左右一対の脚部２５を有する。
脚部２５間の間隔は下方に行くに従って漸次大となるように形成されていると共に、掛合孔２７は下端側において左右脚部２５間の空間部分に連通するように開放状とされていて左右の脚部２５は左右方向に拡縮自在に弾性変形可能とされている。
また、左右の各脚部２５の左右方向外側面下部には、左右方向外方に延出する係止爪２８が設けられており、該係止爪２８の側面には、下端部から上方に行くに従って左右方向外方に移行する傾斜状に形成された案内面２９が設けられている。
【００２３】
前記構成の引掛け部材５にあっては、該引掛け部材５の下部側をその下端側から前記係止孔２６に挿入すると、左右の脚部２５の案内面２９が係止孔２６の縁部に案内されて左右の脚部２５が近接するように弾性変形して係止孔２６に対する係止爪２８の通過が許容され、係止爪２８が係止孔２６を通過すると、左右脚部２５が復元して係止爪２８が上被係合体１５Ａの下面に係合し、抜止めされる。
なお、引掛け部材５を設ける代わりに、後構成体７の上部に厚さ方向に貫通する孔を形成し、この孔をフック等の被引掛け部に引っ掛けるようにしてもよい。
【００２４】
図４は他の形式の吊り具１を示しており、この吊り具１にあっては、前構成体６に設けられた上下の係合体１４Ａ，１４Ｂは、長手方向に直交する方向での断面が略円形状とされた係合部１６を有する。
また、上下の各被係合体１５Ａ，１５Ｂは、上下対向状に配置されると共にカレンダ２の左右幅に亘る長さの一対の被係合壁３０ａ，３０ｂを有し、該上下の被係合壁３０ａ，３０ｂ間が吊り具１の長手方向に沿う溝からなる被係合部１７とされている。
この上下の被係合体１５Ａ，１５Ｂの被係合部１７の入口側（正面側）は、上下被係合壁３０ａ，３０ｂ間の間隔が係合部１６の上下幅よりも狭くなっており、該被係合部１７の奥側において、上下被係合壁３０ａ，３０ｂの対向面側の形状が前記係合部１６の円弧形状に略一致する円弧形状に形成されている。
【００２５】
この図４に示す吊り具１において、前後の構成体６，７を連結する場合にあっては、前記と同様にして、前構成体６を後構成体７に重ね合わせて前構成体６を正面側から押圧すると、係合部１６が、上下の被係合壁３０ａ，３０ｂの間隔を押し広げるようにして該上下被係合壁３０ａ，３０ｂ間に挿入し、係合部１６が上下被係合壁３０ａ，３０ｂ間に挿入すると、上下の被係合壁３０ａ，３０ｂが復元して係合体１４が被係合体１５に係合するように構成されている。
なお、係合体１４と被係合体１５の構成（形状）は逆であってもよい。
【００２６】
また、この図４に示す吊り具１にあっては、（ｂ）に示すように、前構成体６は、正面側に凸となる湾曲状に形成されていて、前後の構成体６，７を連結した状態にあっては、（ａ）に示すように、前構成体６は弾性変形して略平板状となるように構成されており、前構成体６が元の形状に戻ろうとする復元力によって係合部１６が被係合部１７に強く係合し、前後の構成体６，７の連結状態がより強固になる。
なお、後構成体７が背面側に凸となる湾曲状に形成されていてもよい。
この図４に示す吊り具１にあっても、前構成体６の上部側を表示部２０として、上下の係合体１４Ａ，１４Ｂ間にシート状表示体２１を保持させるようにしてもよく、その場合、シート状表示体２１は、上被係合体１５Ａの下被係合壁３０ｂと、下被係合体１５Ｂの上被係合壁３０ａとで押圧・保持される。
【００２７】
図５及び図６は前述した各吊り具１とは別の形式の吊り具１を示しており、前構成体６の上端側に、該上端側から後方突出状に延出された延設部３２を設け、この延設部３２と後構成体７の上端部とが薄肉の接続部３３によって屈曲自在に接続されている。
前構成体６の上下方向中途部の背面には、１つの係合体１４が設けられ、後構成体７の上下方向中途部の正面には、前記係合体１４に係合する１つの被係合体１５が設けられており、これら係合体１４と被係合体１５は、図４に示す吊り具１に採用された係合体１４及び被係合体１５と同様の形状のものが採用されている。
【００２８】
また、後構成体７の下部正面側には、前方突出状に突部３４が設けられており、この実施の形態では、カレンダ２の上端側の被保持部部分３に孔３５を形成し、この孔３５に前記突部３４を挿通することにより、吊り具１の保持部８にカレンダ２が保持されるように構成されている。
したがって、この吊り具１に保持されるカレンダ２は、カレンダ用紙２ａを複数枚重ね合わせると共に該積層状のカレンダ用紙２ａの上端側を綴じないでバラの状態にして孔３５を形成し、該バラの状態でカレンダ２に形成した前記孔３５を前記突部３４に引っ掛けることにより、吊り具１に保持され、不要になったカレンダ用紙２ａは、該カレンダ用紙２ａを下方に引っ張って突部３４によってカレンダ用紙２ａが裂かれることにより、取り離されるようになっている。
【００２９】
前記突部３４は、正面視において、その上部側が上方に行くに従って先細りとなる山形状に形成されていて、カレンダ用紙２ａを取り離しやすいように構成されている。
また、突部３４の正面側は、上方に行くに従って前方に移行する傾斜面に形成されていると共に、前後の構成体６，７の連結状態において、突部３４正面の上端側が前構成体６の背面に接当しており、これによって、カレンダ用紙２ａを破らない限り、該カレンダ用紙２ａが下方に抜け落ちないようになっている。
前記突部３４は、長手方向に間隔をおいて複数（本実施の形態では３つ）設けられている。
【００３０】
また、この図５及び図６に示す吊り具１は射出成形によって一体形成される。
この吊り具１にあっても、前後構成体７は、非連結時において、近接離反自在とされ、図６（ｂ）に示すように、吊具本体４が開いた状態でカレンダ２の上端側に形成した孔３５に突部３４が挿通されるようにカレンダ２の上端側の被保持部分３を後構成体７の下部正面側に配置し、その後、接続部３３を支点として前構成体６が後構成体７側に接近するように屈曲させて係合部１６を被係合部１７に係合させることにより、カレンダ２に吊り具１が取り付けられる。
【００３１】
この吊り具１にあっては、カレンダ２の使用後に、カレンダ２の被保持部分３が吊り具１の保持部８に残ることがないという効果を奏する。
この図５及び図６に示す吊り具１において、延設部３２を後構成体７の上端側に設け、この延設部３２と前構成体６の上端側とを薄肉の接続部３３によって接続するようにしてもよい。
また、前構成体６側に突部３４を設けるようにしてもよい。
さらに、図１〜図３に示す形状の係合体１４と被係合体１５とを採用してもよい。
【００３２】
また、この実施の形態にあっても、上部を透明な表示部２０として、内側にシート状表示体２１等を設けるようにしてもよい。この場合、シート状表示体２１の上端側を係止するための溝又は係止突部が前構成体６に設けられる。
前記突部３４を図１〜図３に示す吊り具１、又は図４に示す吊り具１に採用してもよく、その場合、突部３４を形成する側の構成体は射出成形によって形成するか、又は、引抜成形又は押出成形した後に、プレス、接着等によって突部３４を設ける。
また、図１〜図３に示す吊り具１、又は図４に示す吊り具１において、前構成体６と後構成体７とを薄肉の接続部で接続するようにしてもよい。
【００３３】
図８及び図９、並びに図１０は、前記図１〜図６に示す吊り具１とは異なる実施形態の吊り具１を示したものである。
図８及び図９に示す吊り具１は、図６に示す吊り具１と同様に、前構成体６の上端側に、該上端側から後方突出状に延出された延設部３２を設け、この延設部３２と後構成体７の上端部とを薄肉の接続部３３によって屈曲自在に接続していると共に、前構成体６の上下方向中途部の背面に１つの係合体１４を設け、後構成体７の上下方向中途部の正面に前記係合体１４に係合する１つの被係合体１５を設けている。
【００３４】
また、この実施形態の吊り具１の保持部８は図１〜図４に示す吊り具１と同様の構造とされており、この吊り具１を開いた状態において、前構成体６又は後構成体７の一方の対向面側にカレンダ２の被保持部分３を配置した状態で、接続部３３を支点として前構成体６又は後構成体７の他方を一方に相対的に接近するように屈曲させて係合部１６を被係合部１７に係合させることにより、前後の挟持片１１，１２の接当部１３間でカレンダ２の被保持部分３が挟圧されてカレンダ２の被保持部分３が吊り具１に挟持されて保持されるように構成されている。
【００３５】
この実施形態の吊り具１にあっては、係合部１６は係合体１４の先端側（後端側）に下方に向けて膨出状に形成され、被係合部１７は被係合体１５先端側（前端側）に上方に向けて膨出状に形成されていて、前後の構成体６，７の連結状態において、被係合部１７は、係合部１６の前方側で係合体１４の下側に位置している。
また、この実施形態の吊り具１にあっては、延設部３２の下面側と、係合体１４の上面側とに、表示部２０の背面側に配置されたシート状表示体２１を保持する係止部３６が上下対向状に設けられている。
【００３６】
これら、係止部３６は、吊り具１の長手方向にわたって連続状（不連続状でもよい）に形成されていて、前構成体６寄りに配置されている。
また、この係止部３６の正面側は後方に行くに従って対向方向に移行する傾斜面３６ａとされ、背面側は前方に行くに従って対向方向に移行する傾斜面３６ｂとされていて、該係止部３６は断面三角形状に形成されており、表示部２０の背面側に配置されたシート状表示体２１の上下の端部が係止部３６の正面の傾斜面３６ａの前端側で係止されて保持される。
【００３７】
この実施形態の吊り具１にあっては、シート状表示体２１を吊り具１の長手方向から表示部２０の背面側に差し込むのは、抵抗が大きく挿入し難い。
そこで、この実施形態の吊り具１にあっては、以下に記載する方法にて、シート状表示体２１が表示部２０の背面側に取り付けられる。
先ず、シート状表示体２１と板材からなる押込み部材３７とを表示部２０と後構成体７の上部との間に吊り具１の長手方向から挿入する。
この際、シート状表示体２１と押込み部材３７は、同時に挿入してもよいし、どちらか一方を先に挿入してもよい。
【００３８】
また、シート状表示体２１は、その上下一端側（図例では上端側）が係止部３６の前側に位置し、他端側（図例では下端側）が係止部３６の後側に位置するように挿入され、押込み部材３７はシート状表示体２１の後方側に配置される。
この状態で、押込み部材３７を前方側に移動させると、シート状表示体２１の他端側（下端側）が撓みながら係止部３６を通過して該係止部３６の前方側に押し込まれ、該シート状表示体２１が表示部２０の背面側に保持される。
したがって、この実施形態にあっては、吊り具１をカレンダ２の上端側に取り付けた後に（前後の構成体６，７を連結した状態で）、シート状表示体２１を表示部２０の背面側に設けることができるように構成されていて、吊り具１のカレンダ２上端側への取付工程と、シート状表示体２１の吊り具１への取付工程とを別工程で行うことができる。
【００３９】
これによって、例えば、シート状表示体２１が取り付けられていない状態の吊り具１をカレンダ２上端側に取り付けたものを製作してストックしておき、複数の会社から受注を受けた場合や追加注文を受けた場合に、シート状表示体２１の取付作業のみを行うことにより、吊り具付きカレンダを速やかに発送することができる。
なお、前記係止部３６は図例の断面形状に限定されることはなく、シート状表示体２１を保持でき且つ取付時にシート状表示体２１の端部の通過を阻止しない形状であればよい。
【００４０】
また、この吊り具１にあっては、図９（ａ）、（ｂ）に示すような、綴じ方法で綴じられたカレンダ２を取付可能である。
すなわち、カレンダ２は、その上端側に上方開放状のコ字形の切り込み３８をカレンダ用紙２ａの全部に亘って入れて切り起こされた切起し部３９をカレンダ２の左右方向に複数形成することにより該カレンダ２が綴じられている。
この切起し部３９が接当部１３の上端側に引っ掛かることによりカレンダ２が前後の構成体６，７間から下方に容易には抜けないようになっている。
【００４１】
図例では前構成体６の接当部１３の上端側に切起し部３９を引っ掛けるようにしているが、後構成体７の接当部１３の上端側に切起し部３９を引っ掛けるようにしてもよく、この前後の接当部１３の上端側が引掛け部とされている。
この点に関しては、図１〜図４に示す吊り具１も同様である。
また、この実施形態の吊り具１において、図９（ｃ）に示すように、後構成体７の上部の上下方向中途部を前構成体６に向けて押圧して弾性変形させることにより、被係合部１７が係合部１６から外れるように構成してもよい。
【００４２】
また、吊り具１をカレンダ２に取り付ける前に、シート状表示体２１を、先に吊り具１に取り付けるようにしてもよく、また、シート状表示体２１を吊り具１の長手方向から表示部２０の背面側に挿入できるように構成してもよい。
図１０に示す吊り具１は、前記図８、図９に示す吊り具１と保持部８の構成が異なり、その他の構成は前記図８、図９に示す吊り具１と同様に構成されている。
この実施形態の吊り具１の保持部８は、図１０（ｃ）に示すように、複数枚のカレンダ用紙２ａからなるカレンダ２の被保持部分３の一部を、カレンダ２の厚さ方向一方側に突出するように凹凸型によってプレス加工することにより綴じられたカレンダ２を保持するために工夫されたものである。
【００４３】
この保持部８は被吊下げ物２の被保持部分３の、前構成体６と後構成体７との間からの離脱防止を図るべく該被吊下げ物２の被保持部分３を前構成体６と後構成体７との間で屈曲させる押圧部４１，４２，４３を備えている。
本実施の形態では、押圧部４１，４２，４３は、前構成体６に設けられた上下一対の押圧部４１，４２（上側の押圧部４１を第１押圧部といい、下側の押圧部４２を第２押圧部という）と、後構成体７に設けられていて上下方向に関して第１押圧部４１と第２押圧部４２との中間に位置する押圧部４３（これを第３押圧部という）とを備えている。
【００４４】
第１押圧部は、前挟持片１１の背面上部に設けられており、後方に向けて突出状で且つ後方に行くに従って先細りとなる断面略三角形状に形成されている。
保持部８の前側を構成する前挟持片１１の下部は、下方に行くに従って後方に移行するように湾曲状に屈曲されており、この前挟持片１１の下端部が第２押圧部４２とされている。
保持部８の後側を構成する後挟持片１２の下部は、下方に行くに従って前方に移行する傾斜状となるように屈曲されており、この後挟持片１２の下端部が第３押圧部４３とされている。
【００４５】
この実施形態の吊り具１にあっては、吊り具１を開いた状態でカレンダ２の被保持部分３を前後の挟持片１１，１２の間に配置し、その後吊り具１を閉じて係合体１４と被係合体１５とを係合させて前後の構成体６，７を連結すると、図１０（ｂ）に示すように、第１〜３押圧部４１，４２，４３によってカレンダ２の被保持部分３が挟圧されて屈曲し、該被保持部分３が屈曲することにより被保持部分３が前後の構成体６，７間から下方に容易には抜けないように構成されている。
なお、カレンダ２はカレンダ用紙２ａの枚数によって厚さが異なるが、この実施形態の吊り具１にあっては、厚さの異なる各カレンダ２に対応できるように、前後の挟持片１１，１２の間隔を変えた（第１〜３押圧部４１，４２，４３の前後方向の位置を変更した）吊り具１を複数種用意しておくのが好ましい。
【００４６】
前述した各吊り具１は、複数枚のカレンダ用紙２ａを重ね合わせて、上端側を綴じたカレンダ２又は上端側を綴じないカレンダ２を吊り下げるものに限らず一枚物のカレンダ２を吊り下げるのに採用されてもよく、また、カレンダ２に限らず紙製、布製又は樹脂製等のポスタやシート状の壁掛け等のシート状の被吊下げ物を吊り下げるのに採用してもよい。
【図面の簡単な説明】
【００４７】
【図１】カレンダの上端側に吊り具を付けた状態の正面図である。
【図２】（ａ）は吊り具の側面図であり、（ｂ）は吊り具の引掛け部分の正面断面図である。
【図３】吊り具のカレンダへの取付工程を示す側面図である。
【図４】他の形式の吊り具を示す側面図である。
【図５】カレンダの上端側に別の形式の吊り具を付けた状態の正面図である。
【図６】別の形式の吊り具を示す図であって、（ａ）はカレンダに取り付けられた状態の吊具本体側面図、（ｂ）は開いた状態を示す吊具本体の側面図、（ｃ）はカレンダに形成した孔に突部が挿通されている状態を示す正面図である。
【図７】シート状表示体を形成する印刷用紙の正面図である。
【図８】異なる実施形態の吊り具を示す図であって、（ａ）は開いた状態を示す吊具本体の側面図、（ｂ）は閉じた状態を示す吊り具本体の側面図、（ｃ）はシート状表示体を取り付ける前の、閉じた状態を示す吊り具本体の側面図である。
【図９】異なる綴じ方法で綴じられたカレンダを取り付ける場合を示した図であって、（ａ）はカレンダの綴じ部分の正面図、（ｂ）は閉じる前の状態の吊り具本体の側面図、（ｃ）は閉じた吊り具本体を開く場合を示した吊り具の側面図である。
【図１０】異なる実施形態の吊り具を示す図であって、（ａ）は開いた状態を示す吊具本体の側面図、（ｂ）は閉じた状態を示す吊り具本体の側面図、（ｃ）は閉じる前の状態の吊り具本体の側面図である。
【符号の説明】
【００４８】
２    被吊下げ物（カレンダ、ポスタ等）
３    被保持部分
６    前構成体
７    後構成体
８    保持部
９    連結手段
１４    係合体
１５    被係合体
２０    表示部
２１    シート状表示体
３４    突部
３５    孔
３６    係止部
４１    第１押圧部
４２    第２押圧部
４３    第３押圧部
【図１】
2006289941.tif 000003
【図２】
2006289941.tif 000004
【図３】
2006289941.tif 000005
【図４】
2006289941.tif 000006
【図５】
2006289941.tif 000007
【図６】
2006289941.tif 000008
【図７】
2006289941.tif 000009
【図８】
2006289941.tif 000010
【図９】
2006289941.tif 000011
【図１０】
2006289941.tif 000012